(57)【要約】【課題】コンクリートの目荒らし作業可能時期の予測方法、予測装置およびコンクリートの施工方法を提供する。【解決手段】複数の温度環境下で凝結試験を行い、貫入抵抗値と経過時間の関係を温度ごとに取得するステップＳ４と、目荒らし作業対象のコンクリートの温度と電気抵抗値を測定し、測定した電気抵抗値が下降から上昇へ転じる時間を取得し、取得した時間を基準の貫入抵抗値に対応する基準時間として設定する一方、測定した温度に対応する貫入抵抗値と経過時間の関係を設定するステップＳ１〜Ｓ３と、目荒らし作業を行うのに好適な貫入抵抗値を、設定した貫入抵抗値と経過時間の関係に当てはめることで経過時間を求め、求めた経過時間を基準時間からの経過時間に換算することで、目荒らし作業を行うのに好適な目荒らし作業可能時期を予測するステップＳ５、Ｓ６とを備えるようにする。【選択図】図６
2020110999.tif 000002
【特許請求の範囲】
【請求項１】
施工中のコンクリートの表面に対する目荒らし作業を実施する前に、目荒らし作業を行うのに好適な目荒らし作業可能時期を予測するための方法であって、
同一配合のコンクリートについて異なる複数の温度環境下で凝結試験を行い、貫入抵抗値と経過時間の関係を温度ごとに取得するステップと、
目荒らし作業を行うのに好適な貫入抵抗値を設定するステップと、
目荒らし作業対象のコンクリートの温度と電気抵抗値を測定し、測定した電気抵抗値が下降から上昇へ転じる時間を取得し、取得した時間を基準の貫入抵抗値に対応する基準時間として設定する一方、測定した温度に対応する貫入抵抗値と経過時間の関係を設定するステップと、
目荒らし作業を行うのに好適な貫入抵抗値を、設定した貫入抵抗値と経過時間の関係に当てはめることで経過時間を求め、求めた経過時間を基準時間からの経過時間に換算することで、目荒らし作業を行うのに好適な目荒らし作業可能時期を予測するステップとを備えることを特徴とするコンクリートの目荒らし作業可能時期の予測方法。
【請求項２】
凝結試験によって、貫入抵抗値と経過時間の関係を表す近似式の傾き情報と、温度の関係を取得するステップと、
傾き情報と温度の関係に、測定した温度を当てはめることで傾き情報を求め、求めた傾き情報と、電気抵抗値により設定した基準時間と、目荒らし作業を行うのに好適な貫入抵抗値に基づいて、目荒らし作業可能時期を表す作業時間と温度の関係を設定するステップと、
作業時間と温度の関係に、測定した温度を当てはめることで、目荒らし作業可能時期を予測するステップとを備えることを特徴とする請求項１に記載のコンクリートの目荒らし作業可能時期の予測方法。
【請求項３】
施工中のコンクリートの表面に対する目荒らし作業を実施する前に、目荒らし作業を行うのに好適な目荒らし作業可能時期を予測するための装置であって、
同一配合のコンクリートについて異なる複数の温度環境下で凝結試験を行うことによって予め取得された温度ごとの貫入抵抗値と経過時間の関係から、目荒らし作業対象のコンクリートの温度に対応する貫入抵抗値と経過時間の関係を設定する手段と、
目荒らし作業対象のコンクリートの電気抵抗値が下降から上昇へ転じる時間を、基準の貫入抵抗値に対応する基準時間として設定する一方、目荒らし作業を行うのに好適な貫入抵抗値を設定し、設定した目荒らし作業を行うのに好適な貫入抵抗値を、貫入抵抗値と経過時間の関係に当てはめることで経過時間を求め、求めた経過時間を基準時間からの経過時間に換算することで、目荒らし作業を行うのに好適な目荒らし作業可能時期を予測する手段とを備えることを特徴とするコンクリートの目荒らし作業可能時期の予測装置。
【請求項４】
凝結試験によって、貫入抵抗値と経過時間の関係を表す近似式の傾き情報と、温度の関係を取得し、取得した傾き情報と温度の関係に、目荒らし作業対象のコンクリートの温度を当てはめることで傾き情報を求める手段と、
求めた傾き情報と、電気抵抗値により設定した基準時間と、目荒らし作業を行うのに好適な貫入抵抗値に基づいて、目荒らし作業可能時期を表す作業時間と温度の関係を設定する手段と、
作業時間と温度の関係に、測定した温度を当てはめることで、目荒らし作業可能時期を予測する手段とを備えることを特徴とする請求項３に記載のコンクリートの目荒らし作業可能時期の予測装置。
【請求項５】
請求項１または２に記載のコンクリートの目荒らし作業可能時期の予測方法を用いて目荒らし作業可能時期を予測するステップと、
予測した目荒らし作業可能時期に基づいて、打設したコンクリートの表面に対する目荒らし作業を実施するステップとを備えることを特徴とするコンクリートの施工方法。
【発明の詳細な説明】
【技術分野】
【０００１】
本発明は、例えばプレキャストコンクリート部材を製造する場合に好適なコンクリートの目荒らし作業可能時期の予測方法、予測装置およびコンクリートの施工方法に関するものである。
【背景技術】
【０００２】
従来、プレキャストコンクリート板（以下、ＰＣ板という。）は、部材の形状によってコンクリートの打ち継ぎ部分が発生する。この打ち継ぎ部分は、専用工具によって表面に凹凸を作ることによって、その上から打つ次のコンクリートとの定着を強固にする必要がある。
【０００３】
専用工具によって表面に凹凸を作ることを目荒らしと呼ぶ。従来は、熟練の作業員が見た目や指触の感覚によってコンクリートの固まり具合を判断し、丁度よいタイミングで目荒らしを行ってきた。ところが、最近は熟練の作業員が減ってきており、丁度よいタイミングが分からない作業員が目荒らしを行う必要が出てきている。そのため目荒らしのタイミングが悪く、コンクリートの打ち継ぎに求められる目荒らしができなくなっているおそれがある。特に、目荒らしのタイミングが遅い場合は、コンクリート表面に部分的な塊が発生し、手で取れるくらいの脆弱部分となってしまうため、品質チェックに不合格となり、ＰＣ板の作り直しとなることがある。
【０００４】
この目荒らしに丁度よいコンクリートの固まり具合を把握する方法として、これまでは簡易な貫入抵抗試験器を用いていた。図７に示すように、貫入抵抗試験器をコンクリート表面に押し込み、６回の測定値の平均値が試験器の表示値で２ｋｇｆを超えたあたりを目安として目荒らし作業を行うのである。
【０００５】
ところがこの方法は、貫入抵抗試験器の針がコンクリートの粗骨材に当たると結果が大きく表示されてしまうという問題があった。測定結果のバラツキが大きくなり、数多くの測定を行う必要があるため、有効な作業タイミングを把握する方法となっていない。
【０００６】
コンクリートの固まり具合を把握するには、ＪＩＳ法（ＪＩＳ  Ａ  １１４７）に従った貫入抵抗試験を行えばよいが、この測定を行うには、コンクリートから５ｍｍの篩によって粗骨材を除去したモルタルが必要である。日常的なＰＣ板製作工程において、コンクリートを篩にかける作業は、手間が掛かるため避けたい。
【０００７】
一方、コンクリートの固まり具合を把握するための技術に関して、本出願人は、既に特許文献１〜３に示すような技術を提案している。
【先行技術文献】
【特許文献】
【０００８】
【特許文献１】特願２０１７−２００２５４号明細書（現時点で未公開）
【特許文献２】特願２０１７−２００２５５号明細書（現時点で未公開）
【特許文献３】特願２０１７−２３５５０１号明細書（現時点で未公開）
【発明の概要】
【発明が解決しようとする課題】
【０００９】
このため、コンクリート表面の目荒らし作業を始める前に、目荒らし作業を適正に行うことが可能な時期（目荒らし作業可能時期）を容易に把握することのできる技術が求められていた。
【００１０】
本発明は、上記に鑑みてなされたものであって、コンクリート表面の目荒らし作業を始める前に、目荒らし作業可能時期を容易に把握することのできるコンクリートの目荒らし作業可能時期の予測方法、予測装置およびコンクリートの施工方法を提供することを目的とする。
【課題を解決するための手段】
【００１１】
上記した課題を解決し、目的を達成するために、本発明に係るコンクリートの目荒らし作業可能時期の予測方法は、施工中のコンクリートの表面に対する目荒らし作業を実施する前に、目荒らし作業を行うのに好適な目荒らし作業可能時期を予測するための方法であって、同一配合のコンクリートについて異なる複数の温度環境下で凝結試験を行い、貫入抵抗値と経過時間の関係を温度ごとに取得するステップと、目荒らし作業を行うのに好適な貫入抵抗値を設定するステップと、目荒らし作業対象のコンクリートの温度と電気抵抗値を測定し、測定した電気抵抗値が下降から上昇へ転じる時間を取得し、取得した時間を基準の貫入抵抗値に対応する基準時間として設定する一方、測定した温度に対応する貫入抵抗値と経過時間の関係を設定するステップと、目荒らし作業を行うのに好適な貫入抵抗値を、設定した貫入抵抗値と経過時間の関係に当てはめることで経過時間を求め、求めた経過時間を基準時間からの経過時間に換算することで、目荒らし作業を行うのに好適な目荒らし作業可能時期を予測するステップとを備えることを特徴とする。
【００１２】
また、本発明に係る他のコンクリートの目荒らし作業可能時期の予測方法は、上述した発明において、凝結試験によって、貫入抵抗値と経過時間の関係を表す近似式の傾き情報と、温度の関係を取得するステップと、傾き情報と温度の関係に、測定した温度を当てはめることで傾き情報を求め、求めた傾き情報と、電気抵抗値により設定した基準時間と、目荒らし作業を行うのに好適な貫入抵抗値に基づいて、目荒らし作業可能時期を表す作業時間と温度の関係を設定するステップと、作業時間と温度の関係に、測定した温度を当てはめることで、目荒らし作業可能時期を予測するステップとを備えることを特徴とする。
【００１３】
また、本発明に係るコンクリートの目荒らし作業可能時期の予測装置は、施工中のコンクリートの表面に対する目荒らし作業を実施する前に、目荒らし作業を行うのに好適な目荒らし作業可能時期を予測するための装置であって、同一配合のコンクリートについて異なる複数の温度環境下で凝結試験を行うことによって予め取得された温度ごとの貫入抵抗値と経過時間の関係から、目荒らし作業対象のコンクリートの温度に対応する貫入抵抗値と経過時間の関係を設定する手段と、目荒らし作業対象のコンクリートの電気抵抗値が下降から上昇へ転じる時間を、基準の貫入抵抗値に対応する基準時間として設定する一方、目荒らし作業を行うのに好適な貫入抵抗値を設定し、設定した目荒らし作業を行うのに好適な貫入抵抗値を、貫入抵抗値と経過時間の関係に当てはめることで経過時間を求め、求めた経過時間を基準時間からの経過時間に換算することで、目荒らし作業を行うのに好適な目荒らし作業可能時期を予測する手段とを備えることを特徴とする。
【００１４】
また、本発明に係る他のコンクリートの目荒らし作業可能時期の予測装置は、上述した発明において、凝結試験によって、貫入抵抗値と経過時間の関係を表す近似式の傾き情報と、温度の関係を取得し、取得した傾き情報と温度の関係に、目荒らし作業対象のコンクリートの温度を当てはめることで傾き情報を求める手段と、求めた傾き情報と、電気抵抗値により設定した基準時間と、目荒らし作業を行うのに好適な貫入抵抗値に基づいて、目荒らし作業可能時期を表す作業時間と温度の関係を設定する手段と、作業時間と温度の関係に、測定した温度を当てはめることで、目荒らし作業可能時期を予測する手段とを備えることを特徴とする。
【００１５】
また、本発明に係るコンクリートの施工方法は、上述したコンクリートの目荒らし作業可能時期の予測方法を用いて目荒らし作業可能時期を予測するステップと、予測した目荒らし作業可能時期に基づいて、打設したコンクリートの表面に対する目荒らし作業を実施するステップとを備えることを特徴とする。
【発明の効果】
【００１６】
本発明に係るコンクリートの目荒らし作業可能時期の予測方法によれば、施工中のコンクリートの表面に対する目荒らし作業を実施する前に、目荒らし作業を行うのに好適な目荒らし作業可能時期を予測するための方法であって、同一配合のコンクリートについて異なる複数の温度環境下で凝結試験を行い、貫入抵抗値と経過時間の関係を温度ごとに取得するステップと、目荒らし作業を行うのに好適な貫入抵抗値を設定するステップと、目荒らし作業対象のコンクリートの温度と電気抵抗値を測定し、測定した電気抵抗値が下降から上昇へ転じる時間を取得し、取得した時間を基準の貫入抵抗値に対応する基準時間として設定する一方、測定した温度に対応する貫入抵抗値と経過時間の関係を設定するステップと、目荒らし作業を行うのに好適な貫入抵抗値を、設定した貫入抵抗値と経過時間の関係に当てはめることで経過時間を求め、求めた経過時間を基準時間からの経過時間に換算することで、目荒らし作業を行うのに好適な目荒らし作業可能時期を予測するステップとを備えるので、電気抵抗値の低下時刻とコンクリート温度を測定することで、コンクリートの打ち継ぎ面に必要な目荒らしの丁度よい作業開始時刻と作業時間（目荒らし作業可能時期）を容易に把握することができるという効果を奏する。
【００１７】
また、本発明に係る他のコンクリートの目荒らし作業可能時期の予測方法によれば、凝結試験によって、貫入抵抗値と経過時間の関係を表す近似式の傾き情報と、温度の関係を取得するステップと、傾き情報と温度の関係に、測定した温度を当てはめることで傾き情報を求め、求めた傾き情報と、電気抵抗値により設定した基準時間と、目荒らし作業を行うのに好適な貫入抵抗値に基づいて、目荒らし作業可能時期を表す作業時間と温度の関係を設定するステップと、作業時間と温度の関係に、測定した温度を当てはめることで、目荒らし作業可能時期を予測するステップとを備えるので、作業時間と温度の関係を用いて、目荒らし作業可能時期を容易に把握することができるという効果を奏する。
【００１８】
また、本発明に係るコンクリートの目荒らし作業可能時期の予測装置によれば、施工中のコンクリートの表面に対する目荒らし作業を実施する前に、目荒らし作業を行うのに好適な目荒らし作業可能時期を予測するための装置であって、同一配合のコンクリートについて異なる複数の温度環境下で凝結試験を行うことによって予め取得された温度ごとの貫入抵抗値と経過時間の関係から、目荒らし作業対象のコンクリートの温度に対応する貫入抵抗値と経過時間の関係を設定する手段と、目荒らし作業対象のコンクリートの電気抵抗値が下降から上昇へ転じる時間を、基準の貫入抵抗値に対応する基準時間として設定する一方、目荒らし作業を行うのに好適な貫入抵抗値を設定し、設定した目荒らし作業を行うのに好適な貫入抵抗値を、貫入抵抗値と経過時間の関係に当てはめることで経過時間を求め、求めた経過時間を基準時間からの経過時間に換算することで、目荒らし作業を行うのに好適な目荒らし作業可能時期を予測する手段とを備えるので、電気抵抗値の低下時刻とコンクリート温度を測定することで、コンクリートの打ち継ぎ面に必要な目荒らしの丁度よい作業開始時刻と作業時間（目荒らし作業可能時期）を容易に把握することができるという効果を奏する。
【００１９】
また、本発明に係る他のコンクリートの目荒らし作業可能時期の予測装置によれば、凝結試験によって、貫入抵抗値と経過時間の関係を表す近似式の傾き情報と、温度の関係を取得し、取得した傾き情報と温度の関係に、目荒らし作業対象のコンクリートの温度を当てはめることで傾き情報を求める手段と、求めた傾き情報と、電気抵抗値により設定した基準時間と、目荒らし作業を行うのに好適な貫入抵抗値に基づいて、目荒らし作業可能時期を表す作業時間と温度の関係を設定する手段と、作業時間と温度の関係に、測定した温度を当てはめることで、目荒らし作業可能時期を予測する手段とを備えるので、作業時間と温度の関係を用いて、目荒らし作業可能時期を容易に把握することができるという効果を奏する。
【００２０】
また、本発明に係るコンクリートの施工方法によれば、上述したコンクリートの目荒らし作業可能時期の予測方法を用いて目荒らし作業可能時期を予測するステップと、予測した目荒らし作業可能時期に基づいて、打設したコンクリートの表面に対する目荒らし作業を実施するステップとを備えるので、目荒らし作業前に予め作業時間を把握できることで、作業に必要な準備を整えることができる。このため、熟練作業者と同じタイミングで目荒らし作業を実施でき、安定した品質のコンクリートを製作することができるという効果を奏する。
【図面の簡単な説明】
【００２１】
【図１】図１は、抵抗値の時間変化の一例を示す図である。
【図２】図２は、貫入抵抗値と経過時間の関係の一例（コンクリート温度２０℃の場合）を示す図であり、（１）は全体図、（２）は（１）の部分拡大図である。
【図３】図３は、貫入抵抗値と目荒らし状態の関係の一例を示す図である。
【図４】図４は、温度と係数Ａの関係の一例を示す図である。
【図５】図５は、温度と作業時間の関係の一例を示す図である。
【図６】図６は、本発明に係るコンクリートの目荒らし作業可能時期の予測方法、予測装置およびコンクリートの施工方法の実施の形態を示す概略フローチャート図である。
【図７】図７は、従来の目荒らし作業手順の一例を示す図である。
【発明を実施するための形態】
【００２２】
以下に、本発明に係るコンクリートの目荒らし作業可能時期の予測方法、予測装置およびコンクリートの施工方法の実施の形態を図面に基づいて詳細に説明する。なお、この実施の形態によりこの発明が限定されるものではない。
【００２３】
［コンクリートの目荒らし作業可能時期の予測方法］
まず、本発明に係るコンクリートの目荒らし作業可能時期の予測方法の実施の形態について説明する。
【００２４】
（基本原理）
まず、本発明の基本原理について説明する。
コンクリートの表面に抵抗計の電極を設置して測定すると、電気抵抗値は図１に示すように徐々に低下してゆくが、ある時間から上昇を開始する。
【００２５】
この抵抗値が上昇する時間は、コンクリート中のセメントの反応に関係しており、別に測定したＪＩＳ法に従った貫入抵抗値の測定結果に照らし合わせると、ほぼ０．０５（Ｎ／ｍｍ２）となった時間と一致する。
【００２６】
一方、図２は、コンクリート温度が２０℃の際の貫入抵抗値と経過時間の関係の一例を示している。このグラフから、以下の対数近似式（１）によって傾き係数ＡとＢを求めると、Ａは０．１７、Ｂは５．４０となる。
【００２７】
Ｌｎ（経過時間）＝Ａ×Ｌｎ（貫入抵抗値）＋Ｂ  ・・・・・（１）
【００２８】
この式（１）を用いて各貫入抵抗値における時間を求めると、コンクリートの練混ぜ開始時刻（注水時刻）が1０：３０（経過時間０分）の場合、貫入抵抗値が０．０５（Ｎ／ｍｍ２）に達する時刻は１２：４３（経過時間１３４分）となり、０．１（Ｎ／ｍｍ２）に達する時刻は１３：００（経過時間１５０分）、０．２（Ｎ／ｍｍ２）に達する時刻は１３：１８（経過時間１６９分）となる。
【００２９】
目荒らし作業は、熟練の作業員が判断したところ、図３に示すように貫入抵抗値０．１（Ｎ／ｍｍ２）程度が丁度よく、作業が可能なのは０．１〜０．２（Ｎ／ｍｍ２）であった。また、貫入抵抗値０．３（Ｎ／ｍｍ２）以降では目荒らし作業にはやや遅く、０．５（Ｎ／ｍｍ２）ではコンクリート表面に塊状の脆弱部分ができた。
【００３０】
したがって、図２の貫入抵抗値結果の一例と作業時間の関係をまとめると表１のようになる。貫入抵抗値０．０５（Ｎ／ｍｍ２）から０．１（Ｎ／ｍｍ２）までの時間は１６分、丁度よい作業タイミングである０．１〜０．２（Ｎ／ｍｍ２）は１９分である。
【００３１】
【表１】
2020110999.tif 000003
【００３２】
コンクリートの硬化速度は、温度が低くなると遅くなり、温度が高くなると早くなる傾向がある。ＰＣ板に用いるコンクリートの配合は、通常は同じであるため、ＰＣ板のコンクリート温度における貫入抵抗試験を予め実施してデータを取得しておけばよい。
【００３３】
図４に、一例として温度１５℃、２０℃および３３℃と各温度環境で測定した貫入抵抗試験によって得られた係数Ａとの関係を示す。この図には、得られた温度（ｘ）と係数Ａ（ｙ）の関係を表す近似式も併せて示している。
【００３４】
この温度（ｘ）と係数Ａ（ｙ）の近似式に、測定されたＰＣ板の製作温度を代入することで係数Ａを求めることができる。以上の例をまとめると、表２と図５のようになる。
【００３５】
【表２】
2020110999.tif 000004
【００３６】
この例によると、温度１５℃の場合は、貫入抵抗値０．０５（Ｎ／ｍｍ２）から０．１（Ｎ／ｍｍ２）までは２５分であり、０．１〜０．２（Ｎ／ｍｍ２）は２９分である。また、３３℃の場合はそれぞれ、１０分と１２分である。貫入抵抗値０．０５（Ｎ／ｍｍ２）は、コンクリートの抵抗値が変化する時刻であるため、ＰＣ板の丁度よい目荒らしの作業開始時刻と作業時間は、コンクリートに刺した抵抗値が変化する時刻と、コンクリート温度を測定しておくことで得ることができる。
【００３７】
以上をまとめると、本発明に係るコンクリートの目荒らし作業可能時期の予測方法は、次のステップ１〜４により構成することができる。
【００３８】
ステップ１は、同一配合のコンクリートについて異なる複数の温度環境下で凝結試験を行い、貫入抵抗値と経過時間の関係を温度ごとに取得するものである。
【００３９】
ステップ２は、目荒らし作業を行うのに好適な貫入抵抗値を設定するものである。
【００４０】
ステップ３は、目荒らし作業対象のコンクリートの温度と電気抵抗値を測定し、測定した電気抵抗値が下降から上昇へ転じる時間を取得し、取得した時間を基準の貫入抵抗値に対応する基準時間として設定する一方、測定した温度に対応する貫入抵抗値と経過時間の関係を設定するものである。
【００４１】
ステップ４は、目荒らし作業を行うのに好適な貫入抵抗値を、設定した貫入抵抗値と経過時間の関係に当てはめることで経過時間を求め、求めた経過時間を基準時間からの経過時間に換算することで、目荒らし作業を行うのに好適な目荒らし作業可能時期を予測するものである。
【００４２】
上記の構成によれば、電気抵抗値の低下時刻（基準時間）とコンクリート温度を測定することで、コンクリートの打ち継ぎ面に必要な目荒らしの丁度よい作業開始時刻と作業時間（目荒らし作業可能時期）を容易に把握することができる。
【００４３】
なお、上記の構成において、凝結試験によって、貫入抵抗値と経過時間の関係を表す近似式の傾き情報（例えば上式（１）の傾きＡ）と、温度の関係を取得してもよい。そして、傾き情報と温度の関係に、測定した温度を当てはめることで傾き情報を求め、求めた傾き情報と、電気抵抗値により設定した基準時間と、目荒らし作業を行うのに好適な貫入抵抗値に基づいて、目荒らし作業可能時期を表す作業時間と温度の関係を設定してもよい。作業時間と温度の関係に、測定した温度を当てはめることで、目荒らし作業可能時期を予測することが可能である。
【００４４】
（具体的な予測手順）
次に、本発明による目荒らし作業タイミングの予測手順について具体的に説明する。
【００４５】
図６に示すように、まず、目荒らし作業対象のＰＣ板のコンクリートサンプルを採取するとともに、このコンクリートの注水時刻（フレッシュコンクリート作製の際にプラントでセメントと水を混ぜた時間）を記録する（ステップＳ１）。
【００４６】
次に、コンクリートサンプルに抵抗計と温度計を設置し、測定を開始する（ステップＳ２）。
【００４７】
次に、抵抗値の低下時刻を記録するとともに、温度を記録する（ステップＳ３）。
【００４８】
一方、各温度環境下における凝結試験を実施して、温度と係数Ａの関係を取得する（ステップＳ４）。続いて、温度と係数Ａの関係に基づいて、温度と作業時間の関係を取得する（ステップＳ５）。
【００４９】
ステップＳ３およびＳ５を実施した後、温度と作業時間の関係（例えば、図５を参照）から、丁度よい作業開始時刻と作業時間を予測する（ステップＳ６）。
【００５０】
次に、予測した作業開始時刻に目荒らし作業を開始し、予測した作業時間内に目荒らし作業を終了する（ステップＳ７）。
【００５１】
このように、本実施の形態の予測方法によれば、ＰＣ板のコンクリートに抵抗計と温度計を設置し、抵抗値の低下時刻（基準時間）とコンクリート温度を測定することで、ＰＣ板の打ち継ぎ面に必要な目荒らしの丁度よい作業開始時刻と作業時間を的確にかつ容易に把握することができる。予め作業時間がわかることで、作業に必要な準備を整えることができ、非熟練作業者であっても熟練作業者と同じタイミングで目荒らし作業を実施でき、安定した品質のＰＣ板を作ることができる。
【００５２】
［コンクリートの目荒らし作業可能時期の予測装置］
次に、本発明に係るコンクリートの目荒らし作業可能時期の予測装置の実施の形態について説明する。
【００５３】
本実施の形態に係るコンクリートの目荒らし作業可能時期の予測装置は、上述したコンクリートの目荒らし作業可能時期の予測方法を装置として具現化したものであり、例えば入力部、記憶部、演算部、出力部とからなる。この予測装置は、例えばＣＰＵを有するコンピュータ、メモリ、ディスプレイ等のハードウェア、これらハードウェア上で稼働するコンピュータプログラム等のソフトウェアにより構成することができる。
【００５４】
入力部は、コンクリートの「温度」と、コンクリートの電気抵抗値が下降から上昇へ転じる「基準時間」などを入力するためのものである。入力部に対する入力値は、演算部の演算処理に使用される。
【００５５】
記憶部は、同一配合のコンクリートについて異なる複数の温度環境下で凝結試験を行うことによって予め取得された温度ごとの貫入抵抗値と経過時間の関係の情報、予め設定された目荒らし作業を行うのに好適な貫入抵抗値を記憶するものである。
【００５６】
演算部は、入力部に入力された「温度」、「基準時間」、記憶部に記憶された「温度ごとの貫入抵抗値と経過時間の関係」、「目荒らし作業を行うのに好適な貫入抵抗値」に基づいて傾きＡを算出するとともに、「温度と傾きＡの関係」、「温度と作業時間の関係」を求めるものである。そして、演算部は、「温度と作業時間の関係」から「作業開始時刻」、「作業開始時刻までの時間」、「作業終了時刻」、「作業時間」を算出する。
【００５７】
出力部は、中間出力項目である「温度と傾きＡの関係」、「温度と作業時間の関係」を出力するとともに、最終出力項目である目荒らし作業に丁度よい「作業開始時刻」、「作業開始時刻までの時間」、「作業終了時刻」、「作業時間」などを出力するためのものである。出力部には、演算部の演算処理によって算出された算出値が瞬時に出力表示される。したがって、この予測装置の利用者は、この出力表示を通じて、上記の作業開始時刻、作業時間等を容易に把握することができる。
【００５８】
上記の構成によれば、ＰＣ板のコンクリートの温度と、抵抗値の低下時刻（基準時間）を入力することで、ＰＣ板の打ち継ぎ面に必要な目荒らしの丁度よい作業開始時刻と作業時間を的確にかつ容易に把握することができる。予め作業時間がわかることで、作業に必要な準備を整えることができ、非熟練作業者であっても熟練作業者と同じタイミングで目荒らし作業を実施でき、安定した品質のＰＣ板を作ることができる。
【００５９】
［コンクリートの施工方法］
次に、本発明に係るコンクリートの施工方法の実施の形態について説明する。
【００６０】
まず、ＰＣ板を施工する前に、上述したコンクリートの目荒らし作業可能時期の予測方法を用いて目荒らし作業可能時期を予測する。これにより、目荒らし作業前に「作業開始時刻」、「作業時間」等を把握する。
【００６１】
次に、「作業開始時刻」までに作業準備を整える。「作業開始時刻」になったら打ち継ぎ部分に対する目荒らし作業を開始する。この作業は、「作業時間」内に終えるように計画的に実施する。このようにすれば、非熟練作業者であっても熟練作業者と同じタイミングで目荒らし作業を実施でき、安定した品質のＰＣ板を作ることができる。
【００６２】
なお、上記の実施の形態においては、ＰＣ板の打ち継ぎ部分の目荒らし作業の開始時刻と作業時間を予測する場合を例にとり説明したが、本発明はＰＣ板に限るものではなく、他の形態のプレキャストコンクリート部材や、打設場所に直接打ち込まれるコンクリートなどの目荒らし作業の開始時刻と作業時間を予測する場合にも適用可能であり、いずれにしても上記と同様の作用効果を奏することができる。
【００６３】
以上説明したように、本発明に係るコンクリートの目荒らし作業可能時期の予測方法によれば、施工中のコンクリートの表面に対する目荒らし作業を実施する前に、目荒らし作業を行うのに好適な目荒らし作業可能時期を予測するための方法であって、同一配合のコンクリートについて異なる複数の温度環境下で凝結試験を行い、貫入抵抗値と経過時間の関係を温度ごとに取得するステップと、目荒らし作業を行うのに好適な貫入抵抗値を設定するステップと、目荒らし作業対象のコンクリートの温度と電気抵抗値を測定し、測定した電気抵抗値が下降から上昇へ転じる時間を取得し、取得した時間を基準の貫入抵抗値に対応する基準時間として設定する一方、測定した温度に対応する貫入抵抗値と経過時間の関係を設定するステップと、目荒らし作業を行うのに好適な貫入抵抗値を、設定した貫入抵抗値と経過時間の関係に当てはめることで経過時間を求め、求めた経過時間を基準時間からの経過時間に換算することで、目荒らし作業を行うのに好適な目荒らし作業可能時期を予測するステップとを備えるので、電気抵抗値の低下時刻とコンクリート温度を測定することで、コンクリートの打ち継ぎ面に必要な目荒らしの丁度よい作業開始時刻と作業時間（目荒らし作業可能時期）を容易に把握することができる。
【００６４】
また、本発明に係る他のコンクリートの目荒らし作業可能時期の予測方法によれば、凝結試験によって、貫入抵抗値と経過時間の関係を表す近似式の傾き情報と、温度の関係を取得するステップと、傾き情報と温度の関係に、測定した温度を当てはめることで傾き情報を求め、求めた傾き情報と、電気抵抗値により設定した基準時間と、目荒らし作業を行うのに好適な貫入抵抗値に基づいて、目荒らし作業可能時期を表す作業時間と温度の関係を設定するステップと、作業時間と温度の関係に、測定した温度を当てはめることで、目荒らし作業可能時期を予測するステップとを備えるので、作業時間と温度の関係を用いて、目荒らし作業可能時期を容易に把握することができる。
【００６５】
また、本発明に係るコンクリートの目荒らし作業可能時期の予測装置によれば、施工中のコンクリートの表面に対する目荒らし作業を実施する前に、目荒らし作業を行うのに好適な目荒らし作業可能時期を予測するための装置であって、同一配合のコンクリートについて異なる複数の温度環境下で凝結試験を行うことによって予め取得された温度ごとの貫入抵抗値と経過時間の関係から、目荒らし作業対象のコンクリートの温度に対応する貫入抵抗値と経過時間の関係を設定する手段と、目荒らし作業対象のコンクリートの電気抵抗値が下降から上昇へ転じる時間を、基準の貫入抵抗値に対応する基準時間として設定する一方、目荒らし作業を行うのに好適な貫入抵抗値を設定し、設定した目荒らし作業を行うのに好適な貫入抵抗値を、貫入抵抗値と経過時間の関係に当てはめることで経過時間を求め、求めた経過時間を基準時間からの経過時間に換算することで、目荒らし作業を行うのに好適な目荒らし作業可能時期を予測する手段とを備えるので、電気抵抗値の低下時刻とコンクリート温度を測定することで、コンクリートの打ち継ぎ面に必要な目荒らしの丁度よい作業開始時刻と作業時間（目荒らし作業可能時期）を容易に把握することができる。
【００６６】
また、本発明に係る他のコンクリートの目荒らし作業可能時期の予測装置によれば、凝結試験によって、貫入抵抗値と経過時間の関係を表す近似式の傾き情報と、温度の関係を取得し、取得した傾き情報と温度の関係に、目荒らし作業対象のコンクリートの温度を当てはめることで傾き情報を求める手段と、求めた傾き情報と、電気抵抗値により設定した基準時間と、目荒らし作業を行うのに好適な貫入抵抗値に基づいて、目荒らし作業可能時期を表す作業時間と温度の関係を設定する手段と、作業時間と温度の関係に、測定した温度を当てはめることで、目荒らし作業可能時期を予測する手段とを備えるので、作業時間と温度の関係を用いて、目荒らし作業可能時期を容易に把握することができる。
【００６７】
また、本発明に係るコンクリートの施工方法によれば、上述したコンクリートの目荒らし作業可能時期の予測方法を用いて目荒らし作業可能時期を予測するステップと、予測した目荒らし作業可能時期に基づいて、打設したコンクリートの表面に対する目荒らし作業を実施するステップとを備えるので、目荒らし作業前に予め作業時間を把握できることで、作業に必要な準備を整えることができる。このため、熟練作業者と同じタイミングで目荒らし作業を実施でき、安定した品質のコンクリートを製作することができる。
【産業上の利用可能性】
【００６８】
以上のように、本発明に係るコンクリートの目荒らし作業可能時期の予測方法、予測装置およびコンクリートの施工方法は、プレキャストコンクリート部材の製造に有用であり、特に、打ち継ぎ部分の目荒らし作業のタイミングを把握するのに適している。
【図１】
2020110999.tif 000005
【図２】
2020110999.tif 000006
【図３】
2020110999.tif 000007
【図４】
2020110999.tif 000008
【図５】
2020110999.tif 000009
【図６】
2020110999.tif 000010
【図７】
2020110999.tif 000011